(57)【要約】【課題】本発明は、遊技球の移動する経路を形成する取付体を被取付体に着脱するに際し、特別な作業を行うことなく、取付体に対してアース、或いはアースの解除を容易に行うことができる遊技機を提供することを課題とする。【解決手段】遊技球が移動する経路を形成する取付体と、該取付体が着脱可能に取り付けられる被取付体とを備えた遊技機において、前記被取付体は、アースされた接点を備えるとともに、前記取付体は、被取付体に取り付けられた状態で前記接点と当接する当接部を有してなることを特徴とする。【選択図】　　　　　図１
2004081541.tif 000002
【特許請求の範囲】
【請求項１】
遊技球が移動する経路を形成する取付体と、該取付体が着脱可能に取り付けられる被取付体とを備えた遊技機において、前記被取付体は、アースされた接点を備えるとともに、前記取付体は、被取付体に取り付けられた状態で前記接点と当接する当接部を有してなることを特徴とする遊技機。
【請求項２】
前記接点及び当接部の何れか一方が、凸状に形成されるとともに、他方が、前記一方と嵌合させる凹部を備えてなる請求項１記載の遊技機。
【請求項３】
前記被取付体は、前記当接部を該被取付体側に押圧する押圧手段を備えてなる請求項１又は２記載の遊技機。
【請求項４】
前記押圧手段は、前記当接部を押圧する押圧方向の軸周りに回転可能に取り付けられたアーム体からなり、該アーム体は、前記回転方向の所定位置に位置した際に、前記当接部を押圧して被取付体とともに挟持する一方、前記所定位置以外に位置した際に、当接部に対する押圧を解除するように構成されてなる請求項３記載の遊技機。
【請求項５】
前記被取付体は、遊技球を打ち出す遊技領域を形成した基盤であり、前記取付体は、遊技領域に向けて打ち出される遊技球が、該打ち出し方向に対して直交した水平方向に移動して経路から離脱するのを防止するガイド体である請求項１乃至４の何れかに記載の遊技機。
【請求項６】
前記ガイド体は、所定位置から遊技領域に向けて打ち出された遊技球が通過する通過部を形成し、打ち出された遊技球が逆戻りして前記所定位置に到達するのを防止する逆行防止部が前記通過部の上方に設けられてなる請求項５記載の遊技機。
【発明の詳細な説明】
【０００１】
【発明の属する技術分野】
本発明は、遊技領域内に遊技球を打ち出し、該遊技球が特定の受球口に入球し、且つ入賞が確定することで、賞球が得られる遊技機に関する。
【０００２】
【従来の技術】
従来から、遊技球を遊技領域に向けて打ち出し、該遊技球が遊技領域に設けられた特定の受球口に入球するとともに、入賞が確定することで賞球を得ることができる遊技機（いわゆる、パチンコ遊技機）が周知である。
【０００３】
かかるパチンコ遊技機は、ホール（パチンコ店）内に設けられた設置台（いわゆる、遊技島）に固定される設置枠と、該設置枠に取り付けられ、前記遊技島に設けられた遊技球供給装置から遊技球が供給されるとともに、該遊技球のうち、遊技者が貸し球として要求する球数の遊技球を貸し出し、或いは入賞の種類に応じた球数の遊技球を払い出す機構盤と、該機構盤から供給された遊技球を貯留する貯留皿と、該貯留皿から供給された遊技球を一球づつ前記遊技領域に向けて打ち出す発射装置と、該発射装置により遊技球が打ち出される前記遊技領域を形成した基盤（遊技盤）と、遊技における入賞に対する抽選や、前記発射装置等の該遊技機における電気系の制御を行う制御装置とを備えている。
【０００４】
前記機構盤は、前記設置枠の嵌め込まれる本体と、該本体に着脱可能に取り付けられ、前記遊技球供給装置から供給された遊技球を貯留する球タンクと、前記本体に着脱自在に取り付けられ、該球タンクから供給された遊技球を所定の球数で切り出し、前記貯留皿に向けて供給する遊技球払出装置とを備えている。すなわち、該機構盤は、前記本体に球タンク及び遊技球払出装置を取り付けることで、前記球タンクを始点にして途中に前記遊技球払出装置が配設された遊技球の供給経路を形成するように構成されている。
【０００５】
また、前記遊技盤は、発射装置により遊技領域に向けて打ち出された遊技球が通過する経路（以下、遊技球発射軌道という）が形成されており、該遊技球発射軌道を通過する遊技球が水平方向に移動して該遊技球発射軌道から離脱するのを防止すべく、該遊技盤の前面に対向するようにガイド板が設けられているものもある。
【０００６】
上記構成の遊技機は、遊技球の移動に伴って球タンク、遊技球払出装置、及びガイド板等に静電気が帯電することがあるため、球タンク、遊技球払出装置、及びガイド体等に一端部がネジ部材で直接固定されたアース線を介して、静電気を逃がすように構成されており、該遊技機を動作させる前記制御装置が、静電気の帯電により誤作動等を起こすのを防止するようにしている。
【０００７】
ところで、前記球タンク、遊技球払出装置、及びガイド体等（以下、これらを総称して取付体という）のように、遊技球の移動に伴って静電気が帯電しやすい部位は、遊技球の移動に伴って球詰まりするおそれがあるため、球詰まりが発生した際に、取付体を機構盤や遊技盤等（以下、これらを総称して被取付体という）から取り外して球詰まりを容易に解消できるようになっている。
【０００８】
【発明が解決しようとする課題】
ところが、上述の如く、前記取付体は、長さに制限のあるアース線の一端がネジ部材により固定（接続）されているため、アース線を取り外してからでなければ、取付体を被取付体から取り外すことができない場合があった。また、仮にアース線を接続したまま取付体を被取付体から取り外せたとしても、取付体の移動が接続されたアース線により制限されてしまい、その結果取付体が邪魔になって容易に球詰まりを解消することができない場合があった。つまり、従来の遊技機は、静電気が帯電する取付体にアース線が直接接続されているため、被取付体から取付体を取り外して球詰まりを解消させる作業が煩雑であるといった問題があった。
【０００９】
そこで、本発明は、斯かる実情に鑑み、遊技球の移動する経路を形成する取付体を被取付体に着脱するに際し、特別な作業を行うことなく、取付体に対してアース、或いはアースの解除を容易に行うことができる遊技機を提供することを課題とする。
【００１０】
【課題を解決するための手段】
本発明にかかる遊技機は、上記課題を解決すべくなされたものであり、請求項１記載の如く、遊技球が移動する経路を形成する取付体と、該取付体が着脱可能に取り付けられる被取付体とを備えた遊技機において、前記被取付体は、アースされた接点を備えるとともに、前記取付体は、被取付体に取り付けられた状態で前記接点と当接する当接部を有してなることを特徴とする。
【００１１】
上記構成の遊技機によれば、被取付体がアースされた接点を有するとともに、取付体が、被取付体の接点に当接する当接部を有しているので、取付体を被取付体に取り付けることで、当接部とアースされた接点とを当接させて取付体をアースすることができる。これにより、遊技球の移動に伴って取付体の表面上に発生する静電気を導電性のある接点を介して逃がすことができ、静電気による電気系への悪影響を防止することができる。一方、取付体を被取付体から取り外せば、当接部が接点から離間してアースを解除した状態にすることができる。
【００１２】
したがって、アース線を接続したり、取り外したりするといった煩雑な作業を行うことなく、被取付体に対して取付体を容易に着脱することができる。これにより、遊技球の移動に伴って発生する取付体で形成した経路内での球詰まりを、取付体を取り外すことで容易に解消することができる。
【００１３】
また、請求項２記載の如く、前記接点及び当接部の何れか一方が、凸状に形成されるとともに、他方が、前記一方と嵌合させる凹部を備えた構成を採用することができる。このようにすれば、接点が凹部に嵌め合わされることで、取付体が被取付体に位置決めされた状態でアースされることとなり、取付体を被取付体に取り付けるに際し、容易に位置決めして取り付けることができる。
【００１４】
さらに、請求項３記載の如く、前記被取付体は、前記当接部を該被取付体側に押圧する押圧手段を備えてなれば、接点と当接部とを確実に当接させることができ、確実なアースを実現することができる。また、当接部を押圧することで取付体の被取付体への取り付けを確実なものとすることができる。
【００１５】
また、請求項４記載の如く、前記押圧手段は、前記当接部を押圧する押圧方向の軸周りに回転可能に取り付けられたアーム体からなり、該アーム体は、前記回転方向の所定位置に位置した際に、前記当接部を押圧して被取付体とともに挟持する一方、前記所定位置以外に位置した際に、当接部に対する押圧を解除するように構成されてもよい。このようにすれば、簡素な構成で当接部に対する押圧、及び押圧の解除を行うことができ、しかも、取付体を被取付体に対して容易に着脱することができる。
【００１６】
また、請求項５記載の如く、前記被取付体は、遊技球を打ち出す遊技領域を形成した基盤であり、前記取付体は、遊技領域に向けて打ち出される遊技球が、該打ち出し方向に対して直交した水平方向に移動して経路から離脱するのを防止するガイド体であってもよい。ガイド体が形成する経路は、遊技球の打ち出し力が弱かったり、打ち出された遊技球の方向性が不安定でガイド体に接触したりすると、遊技球の所定の打ち出し方向における打ち出し力が弱まって該遊技球が逆行し、該逆行する遊技球と後続の遊技球が衝突してガイド体近傍で球詰まりが発生するおそれがある。しかしながら、基盤及びガイド体を上記構成とすれば、球詰まりが発生しても、ガイド体を基盤から取り外すことで、接点と当接部とが離間してアースが解除された状態となる。したがって、アース線を取り外すといった煩雑な作業を行うことなく、ガイド体を取り外して容易に球詰まりを解消することができる。
【００１７】
また、ガイド体を基盤に取り付ければ、ガイド体及び基盤の何れか一方に設けられ、且つアースされた接点に、他方に設けられた当接部が接触するので、ガイド体にアース線を接続するといった煩雑な作業を行うことなく、ガイド体をアースすることができる。したがって、ガイド体が設けられた部位（ガイド体により形成した経路）は、複数の遊技球が遊技領域に向けて略連続的に通過するため、ガイド体に静電気が発生して帯電しやすいが、ガイド体の当接部と基盤の接点との接触により静電気を逃がすことができ、静電気による電気系への悪影響を防止することができる。
【００１８】
さらに、請求項６記載の如く、前記ガイド体は、所定位置から遊技領域に向けて打ち出された遊技球が通過する通過部を形成し、打ち出された遊技球が逆戻りして前記所定位置に到達するのを防止する逆行防止部が前記通過部の上方に設けられてもよい。このようにすれば、前記所定位置に遊技球が逆戻りするのを最大限防止することができ、通過部を介して遊技球を安定して遊技領域に向けて打ち出すことができる。
【００１９】
【発明の実施の形態】
以下、本発明にかかる遊技機の一実施形態としてのパチンコ遊技機について添付図面を参酌しつつ説明する。
【００２０】
本実施形態にかかるパチンコ遊技機は、図１、図２及び図３に示す如く、複数のパチンコ遊技機を所定間隔で設置するパチンコ店（ホール）内に適宜設置された設置台（いわゆる遊技島（図示せず））に固定される略矩形状の設置枠１と、該設置枠１に開閉自在に取り付けられるベース枠２と、該パチンコ遊技機の前面に位置するように、ベース枠２に着脱自在に取り付けられる前面枠３と、前記ベース枠２内に着脱自在に嵌め込まれる機構盤４とで構成されている。
【００２１】
前記設置枠１は、横方向に長尺な天板５と、該天板５より奥行幅が広く設定され、天板５に対して対向配置された底板６と、天板５及び底板６の長手方向の一端部同士を接続した前記天板５及び底板６より長尺な起立した側板７と、天板５及び底板６の他端部同士を接続した起立状態にある金属ロッド８とで構成されている。天板５及び底板６の一端部には、前方に向かって突出したブラケット９，９が設けられ、ブラケット９，９のそれぞれには、互いに同心で対向するように突出した第一支持軸１０，１０が設けられている。そして、前記金属ロッド８は、遊技島に設けられたアース用の端子（図示せず）に接続され、該設置枠１（パチンコ遊技機）のアースがなされている。
【００２２】
ベース枠２は、設置枠１の内部空間に嵌め込まれるベース枠本体１１と、該ベース枠本体１１の背面から後方に向かって方形状に膨出した収容部１２とを備えており、該収容部１２は、遊技の内容や該パチンコ遊技機を動作させる制御装置を構成する回路基板等の電気機器（図示せず）を収容できるように構成されている。
【００２３】
前記ベース枠本体１１における収容部１２の上方位置には、横長の矩形状をなす角穴１３が形成されている。該角穴１３は、ベース枠２内に機構盤４を嵌め込んだ際に、後述する球タンク１４をベース枠２の裏面から後方に臨出させるべく設けられている。
【００２４】
また、ベース枠本体１１の下部前面には、遊技の演出効果を高める音楽等の音響を発する一対のスピーカーＳが、後述する化粧枠１５及び装飾カバー１６と面一となるように設けられている。
【００２５】
さらに、ベース枠本体１１の横方向の一端部（左端部）には、上下一対のブラケット１７ａ，１７ｂ（以下、上位のブラケットを第一上ブラケットといい、下位のブラケットを第一下ブラケットという）が設けられている。
【００２６】
第一上ブラケット１７ａは、ベース枠本体１１から前方に突出したブラケットベース１８と、該ブラケットベース１８に垂設されたサブブラケット１９とで構成されている。
【００２７】
前記ブラケットベース１８には、前記設置枠１の上位のブラケット９の第一支持軸１０を嵌め込むべく前方に開部を有し、且つ上下方向に貫通した平面視Ｌ型の貫通溝２０が形成され、サブブラケット１９には、ブラケットベース１８の貫通溝２０に設置枠１の第一支持軸１０を嵌め込んだ際に、該第一支持軸１０と略同軸をなす第二支持軸２１が垂設されている。
【００２８】
一方、第一下ブラケット１７ｂには、設置枠１の下位のブラケット９の第一支持軸１０が内挿される上下方向に貫通した貫通穴２２が穿設されている。
【００２９】
そして、第一上ブラケット１７ａ及び第一下ブラケット１７ｂとの間であって、第一下ブラケット１７ｂ寄りの位置には、前方に向かって突出した別のブラケット１７ｃ（以下、第一中ブラケットという）が設けられており、該第一中ブラケット１７ｃには、第一上ブラケット１７ａの第二支持軸２１と同心で対向する第三支持軸２３が上方に向かって立設されている。
【００３０】
このように構成されたベース枠２は、設置枠１の下位のブラケット９の第一支持軸１０を第一下ブラケット１７ｂの貫通穴２２に内挿し、設置枠１の上位のブラケット９の第一支持軸１０を第一上ブラケット１７ａの貫通溝２０に嵌め込むことで、第一支持軸１０，１０周りに回動して、設置枠１内に収容された収容姿勢と、設置枠１から引き出された引出姿勢との間で姿勢変更可能になる。換言すれば、ベース枠２は、設置枠１から取り外し可能、且つ引出可能に前記設置枠１に取り付けられている。
【００３１】
前記前面枠３は、前記ベース枠２に開閉自在に取り付けられる被取付体（基盤）である遊技盤保持枠２４と、該遊技盤保持枠２４に開閉自在に取り付けられるガラス扉２５と、該ガラス扉２５の窓枠２６を覆い得るように、遊技盤保持枠２４に開閉自在に取り付けられる前記化粧枠１５とで構成されている。
【００３２】
前記遊技盤保持枠２４は、ベース枠本体１１の前面開口の大きさに対応して形成された正面視略矩形状の遊技盤保持枠本体２７と、遊技盤保持枠本体２７の前面の下方に形成された貯留・操作部２８と、化粧枠１５に対応したデザインが施され、貯留・操作部２８を覆い隠すことで装飾する装飾カバー１６と、遊技盤保持枠本体２７の貯留・操作部２８の上方に位置して形成された正面視略方形状の開口２９に嵌め込まれ、前面側に遊技を行う遊技領域Ｐを形成する遊技盤３０とで構成されている。
【００３３】
前記遊技盤保持枠本体２７の幅（短手）方向の一端部（正面視左端部）には、上下一対のブラケット３１ａ，３１ｂ（以下、上位のブラケットを第二上ブラケットといい、下位のブラケットを第二下ブラケットという）が前方に向けて突出して設けられている。
【００３４】
前記第二上ブラケット３１ａには、第一上ブラケット１７ａの第二支持軸２１を嵌め込むべく、前方に開部を有し、且つ上下方向に貫通する平面視Ｌ型の貫通溝３２が形成されており、第二下ブラケット３１ｂには、ベース枠本体１１の第一中ブラケット１７ｃの第三支持軸２３を内挿する貫通穴３３が穿設されている。
【００３５】
そして、前記遊技盤保持枠本体２７の第二上ブラケット３１ａ及び第二下ブラケット３１ｂ間であって、第二下ブラケット３１ｂよりの位置に、別のブラケット３１ｃ（以下、第二中ブラケットという）が前方に突出して設けられており、該第二中ブラケット３１ｃには、化粧枠１５の後述する第四支持軸３４を内挿する貫通穴３５が穿設されている。
【００３６】
さらに、前記遊技盤保持枠本体２７は、遊技盤３０を嵌め込む開口２９を形成する上端部における幅方向の一端部（左端部）に、板材がＬ字状に曲げられた金具３６が、一方の片を該遊技盤保持枠本体２７の前面に当接させるとともに、他方の片を開口の形成した内周面に当設させて取り付けられており、該他方の片には、窓枠２６の上端に設けられた軸３７を内挿する穴（図示せず）が穿設されている。また、前記開口２９を形成する幅方向の起立した左端部の下部には、ブラケット３８（以下、窓用ブラケットという）が開口２９内部に向けて突設されており、該窓用ブラケット３８には、窓枠２６の下端に設けられた軸（図示せず）を内挿する穴が穿設されている。なお、金具３６の穴と窓用ブラケット３８の穴とは、互いに同心で対向している。
【００３７】
図４は、装飾カバー１６を取り外した状態における前記貯留・操作部２８及び前記遊技盤３０の一部を示した斜視図である。
【００３８】
前記貯留・操作部２８は、上述の如く、遊技盤保持枠本体２７における開口２９の下方に形成されている。該貯留・操作部２８は、遊技球を貯留する貯留皿３９と、該貯留皿３９に貯留された遊技球を供給する経路を形成する供給レール４０と、該供給レール４０から供給される遊技球を一球ずつ下流側に送り出す切上装置４１と、該切上装置４１から送り出された遊技球を遊技領域Ｐに向けて打ち出す前記発射装置４２とで構成されている。なお、該貯留・操作部２８は、装飾カバー１６で覆われた状態で、貯留皿３９の上部開口、及び前記発射装置４２を動作させる棒状のハンドル４３のみが外部に露呈するように構成されている（図１及び図３）。
【００３９】
前記貯留皿３９は、前記機構盤４に接続された後述する前記払出管４４から払い出される遊技球を受け止めて貯留する第一受皿部４５と、該第一受皿部４５に隣接して形成された第二受皿部４６と、該第二受皿部４６の底部に垂設された筒状の貯留筒部４７と、該貯留筒部４７の上下端開口のそれぞれを開閉する開閉機構４８（図２参照、図４において図示せず）とで構成されている。
【００４０】
前記第一受皿部４５は、先下がりに傾斜した前記供給レール４０の上流端に接続されており、該第一受皿部４５に貯留した遊技球を前記切上装置４１に供給し得るように構成されている。
【００４１】
第二受皿部４６は、深さが第一受皿部４５よりも深く設定されており、前記第一受皿部４５と第二受皿部４６との境界部分となる第二受皿部４６の立面は、第一受皿部４５側に先上がりに傾斜した傾斜面で構成されている。これにより、第一受皿部４５が遊技球で一杯になった際に、その遊技球を傾斜面に沿わすように第二受皿部４６に移動させる一方、第一受皿部４５上の遊技球の球数が少なくなった際に、第二受皿部４６内の遊技球を傾斜面に沿わすように掻き上げ、第一受皿部４５に遊技球を供給し得るようになっている。
【００４２】
また、前記第二受皿部４６の底部には、前記貯留筒部４７と連通する開口４９が形成されており、前記開閉機構４８により該開口４９を介して第二受皿部４６と貯留筒部４７とを連通及び遮断できるようになっている。これにより、貯留皿３９は、第一受皿部４５及び第二受皿部４６で貯留しきれない遊技球の一部を一旦貯留筒部４７で貯留し、該貯留した遊技球を貯留筒部４７の下端開口から外部に取り出せるように構成されている。なお、貯留筒部４７は、遊技領域Ｐに向けて打ち出した遊技球が、遊技領域Ｐに到達せずに逆戻りした場合、該遊技球が貯留筒部４７内に導かれるように、後述する一方の回収路５０ａに接続されている。
【００４３】
前記切上装置４１は、前記ハンドル４３の操作に連動してステッピングモータ５１が動作し、該ステッピングモータ５１の駆動軸に連結されたカム機構（図示せず）により、発射装置４２における所定位置である打ち出し位置に遊技球が一球ずつ供給されるようになっている。
【００４４】
前記発射装置４２は、電磁式の発射装置であり、打ち出し位置に供給された遊技球を励磁することで該遊技球に慣性を生じさせ、その慣性力により遊技球を遊技領域Ｐに向けて打ち出すように構成されている。
【００４５】
上記遊技盤保持枠本体２７は、開口２９と前記貯留・操作部２８との間に、後述する取付体であるガイド体５２（取付片５３及び当接取付片５４）を該遊技盤保持枠本体２７の前面に押圧して固定する押圧手段であるアーム体５５，５５が取付片５３及び当接取付片５４の配置に対応するように、該遊技盤保持枠本体２７の幅方向に所定間隔を有して設けられている。該アーム体５５，５５は、一端部がネジ部材５６によって遊技盤保持枠本体２７に取り付けられており、該ネジ部材５６の軸周り（取付片５３及び当接取付片５４の押圧方向の軸周り）に回転可能になっている。
【００４６】
また、当接取付片５４の後述する貫通穴５７と対応する位置には、アース用の接点５８が設けられている。該接点５８は、遊技盤保持枠本体２７の前面から背面にかけて貫通した穴を介し、該遊技盤保持枠本体２７の裏面から前面側に延出したアース線５９の一端部に取り付けられた端子６０を遊技盤保持枠本体２７の前面に固定したネジ部材の頭部である（図５）。なお、アース線５９の他端は、遊技島に別途設けられた接地済みのアース用端子（図示せず）に接続されている。
【００４７】
図１、図２及び図３に戻り、前記遊技盤３０は、上述の如く、前記遊技盤保持枠本体２７に形成された開口２９に嵌め入れ可能なように、該開口２９の内寸に対応した略正方形状の板材で構成されており、前記遊技盤保持枠本体２７の開口２９に嵌め込まれた際にパチンコ遊技機の前面側に位置する一方の面には、遊技装飾領域Ｐｄが形成されている。
【００４８】
該遊技装飾領域Ｐｄは、遊技盤３０の前面に、一端が遊技盤保持枠本体２７側に延出し、且つ前記発射装置４２から所定距離離れた位置に位置するように、帯状のレール６１が円形渦巻き状に取り付けられ、実際に遊技を行う平面視略円形状の前記遊技領域Ｐと、該遊技領域Ｐに向けて先細りに形成され、前記遊技領域Ｐに遊技球を導く経路である遊技球発射軌道Ｒと、これらの外側に位置し、前記化粧枠１５に覆われて装飾される装飾領域Ｄとを形成している。さらに、遊技領域Ｐには、打ち出された遊技球の落下方向性を変化させる複数の釘（図示せず）、回転体Ｔ（いわゆる、風車）、及び遊技球が入球することで賞球が得られたり、特別な遊技モードへの突入の可否の抽選が実行されたりする受球口Ｈ等が適宜設けられている。
【００４９】
かかる受球口Ｈは、遊技球が入球することにより、制御装置に抽選を行うように指示する指示信号が発信されるように構成されており、遊技領域Ｐの略中央には、制御装置の抽選結果を表示する表示部Ｂが形成されている。このように構成された遊技盤３０は、遊技盤保持枠本体２７の開口２９に嵌め込まれ、該遊技盤保持枠本体２７の裏面側から固定されている。
【００５０】
また、遊技盤３０の下部には、当該遊技盤３０の表裏に貫通した角筒状の前記払出管４４が、一方の面から延出して設けられている。該払出管４４は、遊技盤３０の一方の面から延出した一端開口が貯留皿３９（第一受皿部４５）の底部と対向するように、一端部をＬ字状に屈曲させて形成され、他端開口が機構盤４の後述する払出経路の他端開口６２（図３）に接続可能となるように、遊技盤３０の裏面と略面一に位置している。
【００５１】
図４に戻り、前記レール６１の一端部近傍と前記発射装置４２との間には、前記レール６１とともに遊技球発射軌道Ｒを形成し、発射装置４２から打ち出される遊技球が水平方向（パチンコ遊技機の前面側）に移動して遊技球発射軌道Ｒから離脱するのを防止する前記ガイド体５２が設けられている。
【００５２】
該ガイド体５２は、適宜形状に切断された金属板を折り曲げ加工して形成されたものであり、遊技盤保持枠本体２７の前記接点５８を介してアースされている。該ガイド体５２は、遊技盤保持枠本体２７及び遊技盤３０の前面と所定間隔を有して対向する離脱防止部６３と、該離脱防止部６３の発射装置４２（一端）側の配置される端部が折り曲げられて形成された逆行防止部６４とで構成されている。
【００５３】
前記離脱防止部６３は、該ガイド体５２を遊技盤３０に取り付けるべく、遊技球の打ち出し方向（他端）側の端部に、遊技盤保持枠本体２７の前面と対向する前記取付片５３が形成されている。また、該離脱防止部６３における遊技盤３０（遊技盤保持枠本体２７）との対向面には、一端に湾曲部を形成した短冊状のガイド板６５が取り付けられている。該ガイド板６５は、遊技球発射軌道Ｒを逆行する遊技球を貯留皿３９に回収し得るように、遊技球の打ち出し方向に並列した一対の回収路５０ａ，５０ｂを形成している。具体的には、ガイド板６５は、発射装置４２から打ち出された遊技球と一端部が干渉しないように、湾曲部における凹状の湾曲面を、上面にし、且つ発射装置４２側に位置させるとともに、他端が第一受皿部４５の立面に形成された開口に接続された通路の下端と接続可能に、前記離脱防止部６３の一方の面に取り付けられている。一対の回収路５０ａ，５０ｂのうち、発射装置４２側の一方の回収路５０ａは、上述の如く、前記貯留筒部４７に接続され、遊技球の打ち出し方向下流側の他方の回収路５０ｂは、第一受皿部４５に接続されている。これにより、遊技球発射軌道Ｒを逆行する遊技球を第一受皿部４５、及び貯留筒部４７に回収し得るようになっている。
【００５４】
前記逆行防止部６４は、上端が下端に比して遊技球の打ち出し方向の下流側に位置して傾斜しており、幅方向の端部（離脱防止部６３との接続端とは反対側の端部）には、該ガイド体５２を遊技盤保持枠本体２７に取り付けるとともにアースするための当接部である前記当接取付片５４が延設されている。
【００５５】
該当接取付片５４は、遊技盤保持枠本体２７の前面と対向するように形成されており、略中央部には凹部である前記貫通穴５７が形成されている。
【００５６】
このように構成されたガイド体５２を遊技盤保持枠本体２７に取り付けるには、取付片５３及び当接取付片５４をアーム体５５で押圧することで行われる。すなわち、取付片５３は、アーム体５５を回転させて該アーム体５５の他端部を該取付片５３上に位置させることで、遊技盤保持枠本体２７側に押圧された状態となって、アーム体５５と遊技盤保持枠本体２７とで狭持される。
【００５７】
一方、当接取付片５４は、図５に示す如く、当接取付片５４の貫通穴５７と遊技盤保持枠本体２７の接点５８とが対応するように配置した状態で、アーム体５５を回転させて該アーム体５５の他端部を該当接取付片５４上に位置させること（アーム体５５を所定位置に位置させること）で、接点５８（遊技盤保持枠本体２７）に向けて押圧された状態となって、接点５８を介して遊技盤保持枠本体２７とアーム体５５とで狭持される。この状態で、ガイド体５２は、逆行防止部６４の下側に発射装置４２により打ち出された遊技球の通過する通過部を形成して遊技盤保持枠本体２７に取り付けられた状態となるとともに、接点５８を介してアースされた状態となる。なお、該ガイド体５２を遊技盤保持枠本体２７から取り外すには、各アーム体５５が取付片５３、及び当接取付片５４上に位置しないように、アーム体５５を回転させればよい。
【００５８】
図１、図２及び図３に戻り、前記ガラス扉２５は、遊技盤の形状及び大きさに対応した平面視略方形状の上述した金属製の窓枠２６と、該窓枠内に嵌め込まれた板ガラスＧとで構成されている。窓枠２６の横方向の一端（左端）部における上下端部のそれぞれには、上述した軸３７（下端部の軸は窓枠２６で隠れている）が軸方向に出退自在に設けられている。該ガラス扉２５は、上下の軸３７のそれぞれを、遊技盤保持枠本体２７の金具３６及び窓用ブラケット３８の穴に内挿することにより、軸回りに正逆回動して、遊技盤３０の遊技領域Ｐを視認可能に遊技装飾領域Ｐｄの前面を覆った保護姿勢と、遊技装飾領域Ｐｄの前面を開放した開放姿勢との間で姿勢変更可能となる。
【００５９】
前記化粧枠１５は、前記遊技盤保持枠本体２７における貯留・操作部２８より上方を覆い得るように、正面視略正方形状をなしており、遊技盤３０の遊技領域Ｐに対応する円形窓６６が形成されるとともに、該化粧枠１５の前面には、色とりどりのレンズ体Ｌ内にランプ（図示せず）が設けられた、いわゆる電飾Ｅが適宜配置されている。該化粧枠１５は、遊技盤３０の装飾領域Ｄを覆った状態でガラス扉２５を介して遊技領域Ｐを視認可能に構成されている。
【００６０】
そして、化粧枠１５は、横方向の一端部（左端部）には、上下一対のブラケット６７ａ，６７ｂ（以下、上位のブラケットを第三上ブラケットといい、下位のブラケットを第三下ブラケットという）が前方に突出して設けられている。該第三上ブラケット６７ａには、第二上ブラケット３１ａを介して下方に突出する第一上ブラケット１７ａの第二支持軸２１を嵌め込むべく、前方に開部を有し、上下方向に貫通した平面視Ｌ型の貫通溝６８が形成されており、第三下ブラケット６７ｂには、遊技盤保持枠本体２７の第二中ブラケット３１ｃの貫通穴３５に内挿する上述した第四支持軸３４が下方に向けて垂設されている。
【００６１】
該化粧枠１５は、遊技盤保持枠本体２７の第二中ブラケット３１ｃの貫通穴３５に、第三下ブラケット６７ｂの第四支持軸３４を内挿し、第二上ブラケット３１ａの下面から突出するベース枠２の第一上ブラケット１７ａの第二支持軸２１を、第三上ブラケット６７ａの貫通溝６８に嵌め込むことにより、第二支持軸２１及び第四支持軸３４の軸周りに回動して、ガラス扉２５を介して遊技領域Ｐを視認可能に装飾領域Ｄ等の前面を覆った装飾姿勢と、ガラス扉２５から離間した開放姿勢との間で姿勢変更可能に取り付けられる。
【００６２】
上記構成された前記前面枠３は、遊技盤保持枠本体２７の第二下ブラケット３１ｂの貫通穴３３に、ベース枠２の第一中ブラケット１７ｃの第三支持軸２３を内挿し、第二上ブラケット３１ａがベース枠２のサブブラケット１９と化粧枠１５の第三上ブラケット６７ａとの間に介在するように、当該第二上ブラケット３１ａの貫通溝３２にベース枠２の第二支持軸２１を嵌め込むことにより、第二支持軸２１及び第三支持軸２３の軸周りに正逆回動して、ベース枠２の前面開口を塞ぐ閉鎖姿勢と、該前面開口を開放する開放姿勢との間で姿勢変更可能に取り付けられる。なお、前記化粧枠１５は、前面枠３（遊技盤保持枠本体２７）をベース枠２に取り付けた後に取り付けてもよい。
【００６３】
前記機構盤４は、前記ベース枠２内に嵌め込み可能に正面視略矩形状に形状設定されている。具体的には、機構盤４は、図６及び図７に示す如く、外形四角形状で環状の枠板６９ａと、枠板６９ａの外周縁部から前方に突出した状態で帯状に形成された外周縁堰条６９ｂと、枠板６９ａの内周縁部から前方に突出した状態で帯状に形成された内周縁堰条６９ｃとからなる合成樹脂製の被取付体である環状構造体７０に、後述する球タンク１４や振分整列部７１等の各種の部材がマウントされることによって構成されている。該環状構造体７０は、遊技盤３０の裏面側に装着された各種部材との緩衝を回避すべく、中央部に逃窓７２を形成している。
【００６４】
前記枠板６９ａの背面における逃窓７２の上側には、前記球タンク１４をアースすべく、凸状をなすアース用の接点７３が設けられ、枠板６９ａの幅方向の起立した部位の前面には、後述する遊技球払出装置７４ｂ，７５ｂをアースすべく、凸状をなす接点７６が設けられている。該接点７３、７６は、ネジ部材の頭部であり、アース線７７の一端部に取り付けられた端子７８がこのネジ部材とナットにより枠板６９ａに固定されている。なお、このアース線７７の他端は、ガイド体５２をアースするためのアース線５９と同様に、遊技島に別途設けられた接地済みのアース用端子に接続されている。
【００６５】
遊技球払出装置７４ｂ，７５ｂをアースする接点７６の上方には、該遊技球払出装置７４ｂ，７５ｂに設けられた後述する取付片７９を枠板６９ａに向けて押圧する押圧手段であるアーム体８０が、取付片７９の配置に対応するように設けられている。該アーム体８０は、一端部がネジ部材８１によって枠板６９ａに取り付けられており、該ネジ部材８１の軸周り（取付片７９の押圧方向に軸周り）に回転可能になっている。
【００６６】
該環状構造体７０の背面側には、遊技島に設けられた遊技球供給装置（図示せず）から供給される遊技球を貯留する取付体である球タンク１４と、該球タンク１４から流入してくる（供給される）遊技球を環状構造体７０の左右両側に振り分け、該左右両側に振り分けられた遊技球を一列に整列させた状態で左右両側に形成された一対の供給部８２ａ，８２ｂから下流側に送球する振分整列部７１と、該振分整列部７１の一対の供給部８２ａ，８２ｂのそれぞれから送球されてくる遊技球を所定の球数で下流側に送球する一対の払出経路８３ａ，８３ｂと、該一対の払出経路８３ａ，８３ｂに並設された一対の逃路８４ａ，８４ｂと、一対の逃路８４ａ，８４ｂの上流側の一端開口部に設けられ、遊技球を払出経路８３ａ，８３ｂ及び逃路８４ａ，８４ｂの何れかに導入するように経路を切り替える切替ダンパー８５，８５とが設けられている。
【００６７】
前記球タンク１４は、平面視略矩形状をなす上部が開口状態にある箱状体であり、該箱状体の底部の内面は、該底部の略中央に形成された略矩形状の供給口８６に向けて先下りに傾斜した傾斜面を形成している。また、図８に示す如く、環状構造体７０の枠板６９ａに対向する起立部における前記接点７３に対応した位置（当接部に相当する部位）には、凹部である貫通穴８７が穿孔されている。該球タンク１４は、ネジ部材を介して環状構造体７０側に押圧されて取り付けられるようになっており、このように環状構造体７０に取り付けられた際に、接点７３の外周面が貫通穴８７の開口端縁に線接触するとともに、接点７３の頂部が球タンク１４内に露呈するようになっている。このように構成されることで、球タンク１４に供給された球技球が供給口８６から流れ出ようとして移動する際に発生した静電気が、球タンク１４の内周面及び外周面を伝って、球タンク１４に接触した導電性を有する接点７３向けて流れてアースされるようになっている。
【００６８】
図７に戻り、前記振分整列部７１は、前記球タンク１４の真下に設けられており、球タンク１４の供給口８６から供給される遊技球を左右方向に振り分けて、環状構造体７０の左右両側のそれぞれに導く振分部８８と、該振分部８８により左右に振り分けられた遊技球のそれぞれを一列に整列させる一対の整列部８９ａ，８９ｂとで構成されている。
【００６９】
前記振分部８８は、左右対象に形成された一対の傾斜路９０ａ，９０ｂを備えている。一対の傾斜路９０ａ，９０ｂは、それぞれの最上流端同士が接続されて前記球タンク１４の供給口８６の中央部と対向した稜線Ｃを形成し、該稜線Ｃを基準に左右対称に下流に向けて（稜線Ｃを基準に機構盤４の横方向両側に向けて）先下りに形成されている。該一対の傾斜路９０ａ，９０ｂのそれぞれは、水平方向に折り返されてＳ字状に形成されており、下流端に前記供給部８２ａ，８２ｂが形成されている。該供給部８２ａ，８２ｂには、前記整列部８９ａ，８９ｂの上流端に接続されている。該整列部８９ａ，８９ｂのそれぞれは、下流側に向けて口径が漸減された経路であり、下流に行くにつれ内部を通過する遊技球の球数が漸減するように構成されている。
【００７０】
前記一対の払出経路８３ａ，８３ｂのそれぞれは、前記整列部８９ａ，８９ｂの下流端の開口部に接続される上流側角管体７４ａ，７５ａと、該上流側角管体７４ａ，７５ａに接続された前記遊技球払出装置７４ｂ，７５ｂと、該遊技球払出装置７４ｂ，７５ｂに接続された下流側角管体７４ｃ，７５ｃとで構成されている。
【００７１】
一方の払出経路８３ａは、遊技者による遊技球の購入金額に対応した球数を払い出す貸球払出用の経路であり、環状構造体の左右両側に形成された起立部分の他方（図７における左側の起立部分）に形成されている。
【００７２】
他方の払出経路８３ｂは、遊技領域Ｐの受球口Ｈに遊技球が入球したり、入賞が確定したりした際に、所定球数の賞球を払い出す賞球払出用の経路であり、環状構造体７０の左右両側に形成された起立部分の一方（図７における右側の起立部分）に形成されている。
【００７３】
前記一対の払出経路８３ａ，８３ｂのそれぞれの上流側角管体７４ａ，７５ａは、起立状態で形成された角管であり、上流端開口が前記整列部８９ａ，８９ｂの下流端開口に接続されている。
【００７４】
前記一対の払出経路８３ａ，８３ｂのそれぞれの遊技球払出装置７４ｂ，７５ｂは、それぞれ左右対称形状であるが同一構成であり、アースされた状態で、環状構造体７０の左右両側の起立部分に形成された開口に着脱自在に嵌め込まれて固定されている。
【００７５】
具体的には、遊技球払出装置７４ｂ，７５ｂのそれぞれは、上流側角管体７４ａ，７５ａの下流端（下端開口）に接続されて該上流側角管体７４ａ，７５ａから供給される遊技球を一球ずつ取り込んで送り出す球送出機構９１と、該球送出機構９１を内装する略直方体状のケース９２とで構成されている。
【００７６】
前記球送出機構９１は、パルスモータ９３に接続されたスプロケット（図示せず）により、上流側角管体７４ａ，７５ａ内の遊技球の下流側角管体７４ｃ，７５ｃ内への通過を規制（落下が静止）し、パルスモータ９３を駆動してスプロケットを回転させることで、上流側角管体７４ａ，７５ａ内の遊技球がスプロケットのピッチ内に一球ずつ取り込まれるとともに、ピッチ内に取り込まれた遊技球をスプロケットの回転により移動させて下流側角管体７４ｃ，７５ｃ内に順次落下させるように構成されたものである。なお、貸球払出用の払出経路８３ａの遊技球払出装置７４ｂ（球送出機構９１）は、遊技者の要望に応じて遊技球を貸し出すべく、例えば、パチンコ遊技機間に介設された台間球貸機に、貨幣或いは貨幣と等価の有価価値データが記憶されたプリペイドカード等が投入されると、貸し出し金額に応じた球数の遊技球が送り出されるように構成され、賞球払出用の払出経路８３ｂの遊技球払出装置７５ｂ（球送出機構９１）は、受球口Ｈへの遊技球の入球数に応じて所定球数の賞球を送り出すように構成されている。
【００７７】
前記ケース９２は、前記環状構造体７０の枠板６９ａの開口に嵌め込んだ際に、枠板６９ａの接点７６と対向するように当接部である取付片７９が外周面に突設されている。該取付片７９には、接点７６の配置に対応し、且つ接点７６の外形より小径に設定された凹部である貫通穴９４が穿孔されている。
【００７８】
上記構成の遊技球払出装置７４ｂ，７５ｂを環状構造体７０（枠板６９ａ）に取り付けるには、図９に示す如く、取付片７９をアーム体８０で押圧することにより行われる。すなわち、取付片７９は、アーム体８０を回転させて該アーム体８０の他端部を該取付片７９上に位置させること（アーム体８０を所定位置に位置させること）で、枠板６９ａ側に押圧された状態となって、アーム体８０と枠板６９ａとで狭持される。
【００７９】
図６及び図７に戻り、前記下流側角管体７４ｃ，７５ｃは、上流側角管体７４ａ，７５ａと同様に角管で構成されており、各上流側の一端開口が各遊技球払出装置７４ｂ，７５ｂの下流側に接続されるとともに、該接続部分に対して下流側に部分が適宜曲げられ、他端開口６２がパチンコ遊技機の前面側となる環状構造体７０の表面側で、且つ遊技盤３０の払出管４４の他端開口と対応する位置に配置されている。つまり、遊技盤保持枠２４を閉じた際に、下流側角管体７４ｃ，７５ｃの他端開口６２と、遊技盤３０の下部に設けられた払出管４４の他端開口とが接続され、遊技球を貯留皿３９に供給できるように、下流側角管体７４ｃ，７５ｃの他端開口が配置されている。
【００８０】
前記一対の逃路８４ａ，８４ｂのそれぞれは、環状構造体の左右両側の起立部分に起立状態で形成された角管であり、払出経路８３ａ，８３ｂの接続された前記整列部８９ａ，８９ｂの下流端開口に並列して形成された別の開口に上流端が前記切替ダンパー８５，８５を介して接続されている。また、該一対の逃路８４ａ，８４ｂは、環状構造体７０の下部における左右方向（正面視幅方向）の略中央部で合流し、該合流部分でパチンコ遊技機の前面側にそれぞれの下端開口（図６参照）が配置されている。
【００８１】
この一対の逃路８４ａ，８４ｂの合流部分の内部には、合流部分の開口（逃路の下端開口）を開閉自在とする開放ダンパー９５が設けられている。該開放ダンパー９５は、遊技盤保持枠２４を閉じた際に、環状構造体７０の前面側に突出し、且つ開放ダンパー９５に連結された作動部９６が、遊技盤保持枠２４により押圧されることで、該開放ダンパー９５が傾動して開口が開放されるように構成されている。つまり、遊技盤保持枠２４を開いた状態にすると、作動部９６の押圧が解除されているので、開口が閉鎖した状態となる。
【００８２】
したがって、球タンク１４及び振分整列部７１の遊技球を外部に排出すべく、切替ダンパー８５，８５で遊技球の導入経路を切り替えても、遊技球が開口から流れ出ず、遊技盤保持枠２４を閉じた際に貯留皿３９を介して遊技球を排出することができる。これにより、パチンコ遊技機の交換、払出経路８３ａ，８３ｂ内での遊技球の球詰まり解消や、遊技球払出装置７４ｂ，７５ｂの故障によるメンテナンス時に、球タンク１４及び振分整列部７１内の遊技球をこぼすことなく外部に取り出すことができる。
【００８３】
上記構成のパチンコ遊技機によれば、該遊技盤保持枠本体２７にアースした接点５８を設けるとともに、遊技盤保持枠本体２７に着脱されるガイド体５２に、前記接点５８と当接する当接取付片５４を設けたので、ガイド体５２を遊技盤保持枠本体２７から取り外すことで、当接取付片５４が接点５８から離間してアースを解除することができる。これにより、ガイド体５２からアース線を取り外すといった煩雑な作業を行うことなくガイド体５２を容易に取り外すことができる。また、接点５８及び当接取付片５４が互いに対応した位置に設けられているので、ガイド体５２を遊技盤保持枠本体２７に取り付けるだけで、当接取付片５４を接点５８に当接させることができ、アース線を接続する作業を行うことなく、ガイド体５２をアースした状態にすることができる。これにより、ガイド体５２により形成した遊技球発射軌道Ｒでの複数の遊技球の通過により発生する静電気を逃がすことができるので、制御装置が静電気によって誤作動等を起こすのを防止することができる。しかも球詰まりが発生した際には、ガイド体５２を容易に取り外すことができ、遊技球の球詰まりを容易に解消することができる。
【００８４】
さらに、ガイド体５２の当接取付片５４に凹部である貫通穴５７を穿孔し、接点５８を凸状に構成したので、ガイド体５２を遊技盤保持枠本体２７に取り付けるに際し、貫通穴５７に接点５８を嵌め合わせることで当接取付片５４（ガイド体５２）を位置決めすることができ、ガイド体５２の取り付け作業における効率を向上させることができる。
【００８５】
また、当接取付片５４を遊技盤保持枠本体２７側に向けて押圧するアーム体５５を設けたので、当接取付片５４を接点５８に確実に当接させてガイド体５２を確実にアースすることができるとともに、ガイド体５２を固定することができる。
【００８６】
さらに、アーム体５５をネジ部材５６の軸周りに回転可能に構成し、他端部を所定位置に位置させた際にのみ、取付片５３及び当接取付片５４のそれぞれを押圧するようにしたので、アーム体５５の他端部が所定位置以外に位置するように回転させるだけで、取付片５３及び当接取付片５４に対する押圧が解除され、ガイド体５２を遊技盤保持枠本体２７から容易に取り外すことができる。
【００８７】
また、球タンク１４の起立部に凹部である貫通穴８７を穿孔し、該球タンク１４の取り付けられる枠板６９ａの裏面に凸状の接点７３を設けたので、球タンク１４を枠板６９ａから取り外すだけで、球タンク１４の貫通穴８７の開口端縁が接点７３から離間して球タンク１４のアースを解除することがでる。また、貫通穴８７及び接点７３が互いに対応して設けられているので、球タンク１４を枠板６９ａに取り付けるだけで、貫通穴８７の開口端縁と接点７３の外周面が接触し（球タンク１４をアースし）、且つ接点７３の頂部が球タンク１４の内部に露呈した状態となる。その結果、絶縁体である球タンク１４に帯電する静電気が内周面及び外周面に沿って接点７３に流れるので、静電気を効率よく逃がすことができる。これにより、球タンク１４を効率よくアースすることができるので、静電気によって制御装置が誤作動等を起こすのを防止することができる。その上、供給口８６近傍で球詰まりが発生した際には、アース線を取り外すといった煩雑な作業を行うことなく、球タンク１４を取り外すことができ、遊技球の球詰まりを容易に解消することができる。
【００８８】
また、アースした接点７６を環状構造体７０（枠板６９ａ）に設けるとともに、該環状構造体７０に着脱される遊技球払出装置７４ｂ，７５ｂに前記接点７６と当接する取付片７９を設けたので、遊技球払出装置７４ｂ，７５ｂを環状構造体７０から取り外すだけで、接点７６から取付片７９が離間してアースが解除された状態にすることができる。また、取付片７９及び接点７６が互いに対応した位置に設けられているので、遊技球払出装置７４ｂ，７５ｂを環状構造体７０に取り付けるだけで、接点７６と取付片７９とを当接させることができ、アース線を接続する作業を行うことなく、遊技球払出装置７４ｂ，７５ｂをアースすることができる。これにより、遊技球払出装置７４ｂ，７５ｂの経路で発生する静電気を効率良く逃がすことができ、静電気によって制御装置等が誤作動を起こすの防止することができる。しかも球詰まりが発生した際には、アース線を取り外すといった煩雑な作業を行うことなく、遊技球払出装置７４ｂ，７５ｂを容易に取り外すことができ、遊技球の球詰まりを容易に解消することができる。
【００８９】
さらに、遊技球払出装置７４ｂ，７５ｂの取付片７９に凹部である貫通穴９４を穿孔し、接点７６を凸状に構成したので、遊技球払出装置７４ｂ，７５ｂを環状構造体７０（枠板６９ａ）に取り付けるに際し、貫通穴９４に接点７６を嵌め合わせることで取付片７９（遊技球払出装置７４ｂ，７５ｂ）を位置決めすることができ、遊技球払出装置７４ｂ，７５ｂの取り付け作業における効率を向上させることができる。
【００９０】
また、取付片７９を環状構造体７０（枠板６９ａ）側に向けて押圧するアーム体８０を設けたので、当接取付片５４を接点７６に確実に当接させることができ、しかも遊技球払出装置７４ｂ，７５ｂを固定することができる。
【００９１】
さらに、アーム体８０をネジ部材８１の軸周りに回転可能に構成し、他端部を所定位置に位置させた際にのみ、取付片７９を押圧するようにしたので、アーム体８０の他端部が所定位置以外に位置するように回転させるだけで、取付片７９に対する押圧が解除され、遊技球払出装置７４ｂ，７５ｂを環状構造体７０（枠板６９ａ）から容易に取り外すことができる。
【００９２】
尚、本発明の遊技機は、上記実施形態に限定されるものではなく、本発明の要旨を逸脱しない範囲内において種々変更を加え得ることは勿論である。
【００９３】
本実施形態において、遊技球が通過する経路を形成するガイド体５２、球タンク１４、及び遊技球払出装置７４ｂ，７５ｂをアースしたが、該アースする部材は、これらに限定されるものではなく、遊技球の通過する経路を形成する部材、すなわち、遊技球の移動に伴って静電気が発生するおそれのある部材をアースすることが好ましい。このようにすれば、パチンコ遊技機を動作させる電気系（制御装置等）に悪影響を及ぼす静電気を効率よく逃がすことができる。
【００９４】
また、本実施形態において、接点５８，７３，７６を凸状に構成するとともに、ガイド体５２の当接取付片５４、球タンク１４の起立部、及び遊技球払出装置７４ｂ，７５ｂの取付片７９のそれぞれに、凹部としての貫通穴５７，８７，９４を設けたが、これに限定されるものではなく、接点５８，７３，７６に凹部や該凹部に相当する貫通穴等を設け、ガイド体５２の当接取付片５４、球タンク１４の起立部、及び遊技球払出装置７４ｂ，７５ｂの取付片７９のそれぞれに、接点５８，７３，７６の凹部と嵌合する凸部を設けてもよい。
【００９５】
本実施形態において、ガイド体５２の当接取付片５４、球タンク１４の起立部、及び遊技球払出装置７４ｂ，７５ｂの取付片７９のそれぞれに、凹部としての貫通穴５７，８７，９４を設けたが、ガイド体５２の当接取付片５４、球タンク１４の起立部、及び遊技球払出装置７４ｂ，７５ｂの取付片７９は、貫通穴５７，８７，９４が設けられたものに限定されるものではなく、該貫通穴５７，８７，９４に代えて凸状の前記接点５８，７３，７６が当接状態で嵌合し得る単なる凹部であってもよい。この場合において、凹部は凸状に形成された接点５８，７３，７６の全てが嵌り込むように構成する必要はなく、接点５８，７３，７６の一部が嵌り込むように構成されてもよい。また、必ずしもガイド体５２の当接取付片５４等に貫通穴や凹部を設ける必要ではなく、接点５８，７３，７６の形状に応じて適宜設ければよい。ただし、ガイド体５２、球タンク１４、及び遊技球払出装置７４ｂ，７５ｂを所定位置に取り付けた際に、当接取付片５４等と接点５８，７３，７６とが当接し得ることが前提であることは勿論のことである。
【００９６】
また、本実施形態において、ガイド体５２の当接取付片５４、及び遊技球払出装置７４ｂ，７５ｂの取付片７９をアーム体５５，８０で押圧することで、接点５８，７６に当接取付片５４及び取付片７９が当接した状態で、ガイド体５２及び遊技球払出装置７４ｂ，７５ｂを固定するようにしたが、これらの固定は、必ずしもアーム体５５，８０によるものではなく、部材の配置位置や取付け取り外しの頻度に応じ、球タンク１４と同様にネジ部材などで固定してもよい。この場合においても、ネジ部材での締め付けにより、当接取付片５４及び取付片７９が接点５８，７６に押圧するような取り付けが好ましい。ただし、取付位置によってこのような当接取付片５４及び取付片７９が接点５８，７６を押圧するように取り付けることができない場合であれば、当接取付片５４及び取付片７９が接点５８，７６を押圧することなく当接するように取り付ければよい。つまり、当接取付片５４及び取付片７９と接点５８，７６とが接触していればアースが可能であるので、部材に応じて種々の取り付け構造にすればよい。
【００９７】
また、本実施形態において、接点５８，７３，７６としてネジ部材の頭部を流用したが、接点５８，７３，７６は、必ずしもネジ部材の頭部である必要はなく、電気結線用の端子などであっても勿論よい。
【００９８】
また、本実施形態において、アース線５９，７７の一端部に取り付けられた端子を固定するネジ部材の頭部を接点５８，７３，７６としたが、これに限定されるものではなく、例えば、当接取付片５４を押圧するアーム体５５を導体で構成するとともに、該アーム体５５を取り付けるネジ部材５６にアース線を接続してもよい。このようにすれば、当接取付片５４を押圧している際（ガイド体５２を取り付けた際）にアーム体５５と当接取付片５４とが接触してガイド体５２をアースすることができる。もちろん、このような構成にしても、本実施形態で説明した通り、アーム体５５を回転させて当接取付片５４に対する押圧を解除すれば、当接取付片５４とアーム体５５との接触も解除されるので、アースから切り離した状態（ガイド体５２を取り外し可能な状態）にすることができる。このアーム体５５によるガイド体５２の取り付けは、他の部材の取り付けにも流用し得ることは勿論のことである。
【００９９】
本実施形態にかかるパチンコ遊技機は、遊技球発射軌道Ｒから遊技球が離脱するのを防止するガイド体５２が設けられたが、該ガイド体５２を備えたものに限定されるものではなく、ガイド体５２は、発射装置４２の形態や取り付け位置、及び遊技球発射軌道Ｒの形状等に応じて設ければよい。また、ガイド体５２を設けるに際し、本実施形態におけるガイド体５２は、発射装置４２から打ち出された遊技球が水平方向に移動して遊技球発射軌道Ｒ（経路）から離脱するのを防止する離脱防止部６３と、打ち出した遊技球が遊技球発射軌道Ｒを逆行して発射装置４２の打ち出し位置に到達するのを防止する逆行防止部とを備えたが、ガイド体５２は、必ずしも逆行防止部６４を備えたものに限定されるものではなく、パチンコ遊技機における発射装置の形態や、遊技球発射軌道Ｒの構成に応じて離脱防止部６３のみを備えたものであってもよい。
【０１００】
【発明の効果】
以上のように、本発明の遊技機によれば、被取付体がアースされた接点を有するとともに、取付体が、被取付体の接点に当接する当接部を有しているので、取付体を被取付体に着脱するに際し、特別な作業を行うことなく、取付体に対してアース、或いはアースの解除を容易に行うことができる。
【図面の簡単な説明】
【図１】本発明の一実施形態にかかるパチンコ遊技機の正面図を示す。
【図２】同実施形態のパチンコ遊技機であって、化粧枠を取り外した状態の正面図を示す。
【図３】同実施形態のパチンコ遊技機の分解斜視図を示す。
【図４】同実施形態の装飾カバーを取り外した状態における遊技盤の一部を含む貯留・操作部の斜視図を示す。
【図５】同実施形態にかかるガイド体を遊技盤保持枠本体に取り付けた状態の部分側面図を示す。
【図６】同実施形態にかかる機構盤の斜視図を示す。
【図７】同実施形態にかかる機構盤の背面図を示す。
【図８】同実施形態にかかる球タンクを環状構造体に取り付けた状態の部分断面側面図を示す。
【図９】同実施形態にかかる遊技球払出装置を環状構造体に取り付けた状態の部分側面図を示す。
【符号の説明】
１…設置枠、２…ベース枠、３…前面枠、４…機構盤、５…天板、６…底板、７…側板、８…金属ロッド、９…ブラケット、１０…第一支持軸、１１…ベース枠本体、１２…収容部、１３…角穴、１４…球タンク（取付体）、１５…化粧枠、１６…装飾カバー、１７ａ…第一上ブラケット（ブラケット）、１７ｂ…第一下ブラケット（ブラケット）、１７ｃ…第一中ブラケット（ブラケット）、１８…ブラケットベース、１９…サブブラケット、２０…貫通溝、２１…第二支持軸、２２…貫通穴、２３…第三支持軸、２４…遊技盤保持枠（基盤（被取付体））、２５…ガラス扉、２６…窓枠、２７…遊技盤保持枠本体、２８…貯留・操作部、２９…開口、３０…遊技盤、３１ａ…第二上ブラケット（ブラケット）、３１ｂ…第二下ブラケット（ブラケット）、３１ｃ…第二中ブラケット（ブラケット）、３２…貫通溝、３３…貫通穴、３４…第四支持軸、３５…貫通穴、３６…金具、３７…軸、３８…ブラケット（窓用ブラケット）、３９…貯留皿、４０…供給レール、４１…切上装置、４２…発射装置、４３…ハンドル、４４…払出管、４５…第一受皿部、４６…第二受皿部、４７…貯留筒部、４８…開閉機構、４９…開口、５０ａ，５０ｂ…回収路、５１…ステッピングモータ、５２…ガイド体（取付体）、５３…取付片、５４…当接取付片（当接部）、５５…アーム体、５６…ネジ部材、５７…貫通穴、５８…接点、５９…アース線、６０…端子、６１…レール、６２…開口、６３…離脱防止部、６４…逆行防止部、６５…ガイド板、６６…円形窓、６７ａ…第三上ブラケット（ブラケット）、６７ｂ…第三下ブラケット（ブラケット）、６８…貫通溝、６９ａ…枠板、６８ｂ…外周縁堰条、６９ｃ…内周縁堰条、７０…環状構造体（被取付体）、７１…振分整列部、７２…逃窓、７３…接点、７４ａ，７５ａ…上流側角管体、７４ｂ，７５ｂ…遊技球払出装置（取付体）、７４ｃ，７５ｃ…下流側角管体、７６…接点、７７…アース線、７８…端子、７９……取付片（当接部）、８０…アーム体、８１…ネジ部材、８２ａ，８２ｂ…供給部、８３ａ，８３ｂ…払出経路、８４ａ，８４ｂ…逃路、８５…切替ダンパー、８６…供給口、８７…貫通穴（凹部）、８８…振分部、８９ａ，８９ｂ…整列部、９０ａ，９０ｂ…傾斜路、９１…球送出機構、９２…ケース、９３…パルスモータ、９４…貫通穴（凹部）、９５…開放ダンパー、９６…作動部、Ｐｄ…遊技装飾領域、Ｐ…遊技領域、Ｒ…遊技球発射軌道、Ｄ…装飾領域、Ｈ…受球口、Ｔ…回転体、Ｂ…表示部、Ｌ…レンズ体、Ｅ…電飾、Ｓ…スピーカー、Ｇ…板ガラス
【図１】
2004081541.tif 000003
【図２】
2004081541.tif 000004
【図３】
2004081541.tif 000005
【図４】
2004081541.tif 000006
【図５】
2004081541.tif 000007
【図６】
2004081541.tif 000008
【図７】
2004081541.tif 000009
【図８】
2004081541.tif 000010
【図９】
2004081541.tif 000011